(57)【要約】【課題】鴨居のレール溝のように、屈折縁を介して幅方向で相互に屈折する複数の連続面部からなる連続状被接合部に接合するに最適な構造を備えた連続状木質テープを提供する。【解決手段】連続状木質テープ１は、連続状突板２の裏面に接着層３が形成され、その外表面を覆うように剥離紙４が接合された基本構造から成る。この連続状木質テープ１はロール状に巻き取られており、鴨居２０のレール溝２３のような連続状被接合部に接合されるものであり、レール溝２３の屈折縁２４，２４等に一致するように、同数のミシン目７が形成されている。【選択図】図１
2009184242.tif 000002
【特許請求の範囲】
【請求項１】
表面に連続状突板が配され、裏面に接着層が形成され、さらに該接着層に剥離紙を剥離可能に被着した連続状木質テープにおいて、
屈折縁を介して幅方向で隣接する複数の連続面部からなる連続状被接合部に接合するものであって、その連続方向に沿って厚み方向に貫通するミシン目を形成して、該ミシン目により各連続面部に接合される同数の長尺部分領域を区画形成してなり、各ミシン目で折り返して、各長尺部分領域を当該連続面部に被着して、連続状被接合部に倣って接合するものであることを特徴とする連続状木質テープ。
【請求項２】
二以上の平行な屈折縁を介して幅方向で隣接する三以上の連続面部からなる連続状被接合部に接合するものであって、その連続方向に沿って厚み方向に貫通する複数のミシン目を形成して、該ミシン目により各連続面部に接合される同数の長尺部分領域を区画形成するとともに、少なくともミシン目間の長尺部分領域の幅を、接合すべき当該連続面部の幅に予め一致させてなることを特徴とする請求項１記載の連続状木質テープ。
【請求項３】
連続状被接合部が、鴨居のレール溝であり、二本のミシン目が形成され、該ミシン目間の長尺部分領域の幅が、レール溝の天面部である連続面部の幅と合致し、ミシン目の両側の長尺部分領域の幅が、レール溝の側面部である連続面部の幅とほぼ合致してなるものである請求項２記載の連続状木質テープ。
【発明の詳細な説明】
【技術分野】
【０００１】
本発明は、鴨居のレール溝のように、平行な屈折縁を介して幅方向で相互に屈折する複数の連続面部からなる連続状被接合部に適した連続状木質テープに関する。
【背景技術】
【０００２】
複数の極薄状突板を一列に接続した連続状突板を表面に配し、裏面に接着層が形成され、該接着層に剥離紙を剥離可能に被着して覆うようにした連続状木質テープは、特許文献１で示すように種々提案されている。この連続状木質テープは、木材面の補修材や、表面化粧材などに用いられている。
【特許文献１】特開平１１−１２９２１０号公報
【発明の開示】
【発明が解決しようとする課題】
【０００３】
鴨居材料として、芯材として低廉な集成基材やＭＤＦ〈中密度繊維板）を用い、その外表面に銘木からなる突板を接合し、あたかも銘木の無垢材かの外観を呈するようにした集成材がよく用いられている。この鴨居にあっては、その一面に長手方向に沿って襖の上縁が嵌合して、開閉案内するためのレール溝が形成される。ところで、このレール溝は突板を接合後に形成されるため、その削成により芯材が溝内で露出してしまい、溝内表面の粗れが目立ち、突板からなる外表面の木質との相違が露呈し、敷居が比較的低廉な集成材であることが露見してしまうという問題があった。
【０００４】
これを修正する手段としては、溝内面に外表面が突板からなる連続状木質テープを被着することが有効である。しかし、該レール溝は天面部と両側面部とからなり、このため木質テープの貼着を９０度づつ異なる三面にわたって施工しなければならず、しかも幅２０ｍｍ程度の狭幅内での手作業となり、極めて面倒なこととなる。さらには、一面づつ貼着するために、施工過程で表面に接着剤や油分などの手垢が付き易く、木質テープの外表面から手垢を除去する後作業を要したり、未加工面に付着した場合にも経時変化により手垢が浮き出てくるなどの問題も派生する。このように従来手段では、熟練を要し、施工結果にも問題が発生しやすく、実際には、レール溝内での集成材の露出を放置しているのが現状である。
本発明は、この鴨居のレール溝のように、屈折縁を介して幅方向で相互に屈折する複数の連続面部からなる連続状被接合部に接合するに最適な構造を備えた連続状木質テープの提供を目的とするものである。
【課題を解決するための手段】
【０００５】
本発明は、表面に連続状突板が配され、裏面に接着層が形成され、さらに該接着層に剥離紙を剥離可能に被着した連続状木質テープにおいて、
屈折縁を介して幅方向で隣接する複数の連続面部からなる連続状被接合部に接合するものであって、その連続方向に沿って厚み方向に貫通するミシン目を形成して、該ミシン目により各連続面部に接合される同数の長尺部分領域を区画形成してなり、各ミシン目で折り返して、各長尺部分領域を当該連続面部に被着して、連続状被接合部に倣って接合するものであることを特徴とする連続状木質テープに係る。
【０００６】
かかる構成にあって、連続状被接合部に倣うように、ミシン目で折り込んで、木質テープを山折り、又は谷折りとする。次に屈折縁にミシン目を一致させ、各長尺部分領域ごとに剥離紙を分離し、長尺部分領域を当該連続面部に接着する。この場合に、ミシン目は厚み方向に貫通しているから、剥離紙も長尺部分領域ごとに分離することができる。この接合作業は、ミシン目の折込により木質テープを連続状被接合部の形状と倣った形態としているから、一の長尺部分領域を当該連続面部に位置合わせて接合することにより保持すれば、他の長尺部分領域については、端縁から剥離紙を除去するだけで、長尺方向に沿って順次長尺部分領域を連続面部に面押しするだけで、簡単に接合することができる。このため、作業者は木質テープの接着面や、露出した連続面部に手で触れる必要なく、接合作業を行うことができるから、施工を容易かつ美麗に行うことができる。
【０００７】
かかる構成にあって、二以上の平行な屈折縁を介して幅方向で隣接する三以上の連続面部からなる連続状被接合部に接合する場合に特に有用となる。この場合には、少なくともミシン目間の長尺部分領域の幅を、接合すべき当該連続面部の幅に予め一致させる様にする。この構成にあっては、かかるミシン目間の長尺部分領域を当該連続面部に接合してから、その他の端縁側の長尺部分領域を連続面部に接合する。
【０００８】
かかる構成にあっては、鴨居のレール溝に用いる場合に最適となる。
この場合には木質テープには、二本のミシン目が形成され、該ミシン目間の長尺部分領域の幅が、レール溝の天面部である連続面部の幅と合致し、ミシン目の両側の長尺部分領域の幅が、レール溝の側面部である連続面部の幅とほぼ合致したものとなる。
【０００９】
かかる構成にあって、ミシン目間隔はレール溝の天面部の幅と一致するから、該ミシン目は天面部と両側縁部間の屈折縁と一致することとなる。このため、ミシン目で直角に折曲げて、木質テープを凹状とする。この形態にあって、木質テープはレール溝の三面に沿った形状に合致する。そこで、まず、中央の長尺部分領域の裏面の剥離紙を剥がして、該接着面を天面部に沿って座定する。これにより、天面部がレール溝内に接合することとなる。次に直角状に折り込んだ両側の長尺部分領域ごとに、端縁から剥離紙を引き剥がして、レール溝の当該側面部に接合する作業を繰り返す。
これにより木質テープは鴨居のレール溝の内面に整一に接合され、該レール溝表面が覆われることとなる。
【発明の効果】
【００１０】
本発明の木質テープは、その連続方向に沿って厚み方向に貫通するミシン目を形成して、該ミシン目により連続状被接合部の各連続面部に接合される同数の長尺部分領域を区画形成してなり、各ミシン目で折り返して、各長尺部分領域を当該連続面部に被着して、連続状被接合部に倣って接合するものである。このため、ミシン目の折込により木質テープを連続状被接合部の形状と倣った形態とすることができる。これにより、一の長尺部分領域を当該連続面部に位置合わせして接合することにより保持すれば、他の長尺部分領域については、端縁から剥離紙を除去するだけで、長尺方向に沿って順次長尺部分領域を連続面部に面押しするだけで、簡単に接合することができ、作業者は木質テープの接着面や、露出した連続面部に手で触れる必要なく、接合作業を行うことができるから、施工を容易かつ美麗に行うことができる。
【００１１】
特に、鴨居のレール溝のように、その削成により芯材が溝内で露出してしまい、溝内表面の粗れが目立ち、突板からなる外表面の木質との相違が露呈し、比較的低廉な集成材からなるものであることが露見してしまうような箇所で有用と成り、この木質テープの接合により、無垢の銘木材からなるものと、ほぼ同一の外観とすることができる。また、この場合に、鴨居のレール溝のように、作業性が悪いとされる、内部に切り込まれた細幅の連続状接合部の修正にあっても、容易に接合修正ができる優れた効果がある。
【発明を実施するための最良の形態】
【００１２】
以下に、本発明の一実施例を添付図面に従って説明する。
本発明にかかる連続状木質テープ１は、図１、２に示すように、連続状突板２の裏面に接着層３が形成され、その外表面を覆うように剥離紙４が接合された基本構造から成る。この連続状木質テープ１はロール状に巻き取られており、このロール２から引き出されて、レール溝２３の長さに対応して切断され、後述するように所要の連続状被接合部に施工される。接着層３は連続状突板の裏面に接合される両面テープの裏面側によっても構成される。
【００１３】
前記連続状突板２は、天然銘木からなる厚さ0.2〜1.0mm程度の複数の極薄状突板をフィンガージョイントによって一列に接続してなる。連続状突板２の裏面に、厚さ0.01〜0.80mm程度の不織紙からなる連続状裏貼りシートを接合させ、該シートの裏面に接着層３、剥離紙４を配しても良い。このように連続状木質テープの断面構成は種々提案され、要は表面側に突板が、裏面側に剥離紙4で覆われた接着層が形成されていれば良い。
【００１４】
かかる構成からなる連続状木質テープ１は、二以上の平行な屈折縁を介して幅方向で相互に屈折する複数の連続面部からなる連続状被接合部に接合されるものであり、その屈折縁に一致するように、同数のミシン目７が形成され、該ミシン目７を介して長尺状部分領域８（９）が区画形成される。このミシン目７は木質テープを横断しており（不完全横断も含む）、該ミシン目７で折曲させて、連続状被接合部に倣うことが可能となる。
その適用例を以下説明する。
【実施例１】
【００１５】
図３、４は、連続状木質テープ１ａを鴨居２０のレール溝２３の内面に適用した実施例を示す。
この実施例の連続状木質テープ１ａは、レール溝２３に適合するように、レール溝２３内の屈折縁２７に合致するように、その長手方向に沿って二本のミシン目７ａ，７ａを形成している。
【００１６】
この鴨居２０は集成材から成る芯材２１の外表面に突板２２を被着し、その下面を削って、複数本のレール溝２３を形成したものであり、このレール溝２３の内面は、後切削加工によるため、突板２２が除去されて、低廉な材料などから成る芯材２１がレール溝２３内で露出している。そこで芯材２１の露出面を隠蔽するため、本発明の連続状木質テープ１ａがレール溝２３に接合されることとなる。
【００１７】
ここで、レール溝２３は天面部２５と両側の側面部２６とが屈折縁２７を介して幅方向に連続した凹面からなり、この凹面が連続状被接合部２４となる。また天面部２５、両側の側面部２６が連続面部に相当する。そして、連続状木質テープ１ａは、図４で示すように、ミシン目７ａ，７ａにより、該ミシン目７ａ，７ａ間の長尺部分領域８ａとその両側の長尺部分領域９ａ，９ａとを区画形成している。
【００１８】
この長尺部分領域８ａの幅は、天面部２５の幅と予め整一に一致させている。また長尺部分領域９ａ，９ａの幅は、側面部２６の幅とほぼ一致させているものであり、厳密に一致させなくとも、短い場合にも接合状態で目立つことはなく、長ければ、後処理で除去すればよい。
【００１９】
かかる構成の連続状木質テープ１ａにあって、該ミシン目７ａ，７ａは天面部２５と両側面部２６，２６間の屈折縁２７，２７と一致することとなる。このため、ミシン目７ａ，７ａで直角状に谷折りにより屈折して、木質テープ１ａを凹状とすると、木質テープ１はレール溝２３の三面に沿った形状に合致することとなる。そこで、まず、中央の長尺部分領域８ａの裏面の剥離紙４を剥がして、該接着面を天面部２５に沿って座定する。これにより、接着層４により長尺部分領域８ａがレール溝２３内の天面部２５に接合することとなる。
【００２０】
この天面部２５への接合により、連続状木質テープ１ａは確実に保持される。そこで次には、直角状に折り込んだ両側の長尺部分領域９ａ，９ａごとに、端縁から剥離紙４を引き剥がしてから、端縁から長尺方向に沿って順次面押しして、レール溝２３の当該側面部２６，２６に長尺部分領域９ａ，９ａを接合する作業を行う。
【００２１】
これにより木質テープ１は鴨居２０のレール溝２５の内面に整一に接合され、該レール溝２５の表面全体が木質テープ１覆われることとなる。この木質テープ１により、銘木からなる突板面が表面に露出するから、該レール溝２５内は銘木の木感を呈することとなり、突板２２で外表面が覆われた敷居２０と違和感無く融合して、銘木による単一材であるかのような高級感を保持し得ることとなる。
【実施例２】
【００２２】
図５，６は、テーブル板３０の前縁に、本発明の連続状木質テープ１ｂを適用した実施例を示すものである。
ここでテーブル板３０は、間隔を置いて上面板３１と下面板３３とを連結材３４を介して平行となるように連結し、かつその周縁に端縁板３５を接合して、板状形態を構成している。上面板３１の露出面には化粧板３２が接合される。
【００２３】
この端縁板３５は、機械的衝撃がかかる部位にあり、肉厚材が適用され、一方、最も目立つ部位となる。そこで、この端縁板３５には、本発明の連続状木質テープ１ｂが被着される。この場合にこの端縁板３５の外表面が連続状被接合部３６に、その上下の角縁が屈折縁３７，３７に、端縁板３５の側面及び上下面が夫々幅方向で隣接する連続面部に夫々相当する。
【００２４】
この連続状木質テープ１ｂには、図６で示すように、二本のミシン目７ｂ，７ｂが形成され、該ミシン目７ｂ，７ｂ間の幅を端縁板３５の高さ寸法と一致させて、ミシン目７と連続状木質テープ１の側縁までの間隔を端縁板３５の幅寸法と一致させている。
【００２５】
かかる構成にあって、ミシン目７ｂ，７ｂを直角状に山折りして断面凹状とし、まず中央の長尺部分領域８ｂの裏面の剥離紙４を除去して、その接着層３により長尺部分領域８ｂを端縁板３５の側面に接合する。これにより連続状木質テープ１ｂをテーブル板３０に固定してから、長尺部分領域９ｂ，９ｂの裏面の剥離紙４を除去して、縁縁から順次長尺方向に押し当てて接合する。これにより、容易に連続状木質テープ１ｂの側端縁にある端縁板３５の露出面を連続状木質テープ１で覆うことができる。そして端縁板３５は連続状木質テープ１ｂの突板で外装されて、銘木からなるものとの印象を与え、また上面板３１の化粧板３２との連続性も確保され、これによりテーブル板３０の周縁の修正によって、テーブル板３０の高級感を向上させることが可能となる。
【実施例３】
【００２６】
図７，８は、框４０の前縁に、本発明の連続状木質テープ１を適用した実施例を示すものである。
この框４０の前縁部４１には、合板が接合される。この合板は二度屈曲してその角縁に傾斜状の面取り部が形成され、これにより前縁部４１の外面は前面４２、上面４３、傾斜面４４が連成された形態をなす。この前縁部４１の外面は本発明の連続状被接合部に相当し、前面４２、上面４３、傾斜面４４が本発明の連続面部に相当し、前面４２と傾斜面４４間の角縁及び、傾斜面４４と上面４３間の角縁が屈折縁４７，４７となる。
【００２７】
本発明の連続状木質テープ１ｃはかかる前縁部４１に被着されるものであり、二本のミシン目７ｃ，７ｃが形成され、このミシン目７ｃ，７ｃ間を傾斜面４４の幅間隔に整一に一致させて長尺部分領域８ｃとし、ミシン目７ｃ，７ｃと側端縁間の幅を前面４２の幅間隔にほぼ一致させて長尺部分領域９ｃ，９ｃとし、さらにミシン目７ｃ，７ｃと側端縁間の幅を上面４３の高さにほぼ一致させて長尺部分領域９ｃ，９ｃとするようにしている。これによりミシン目７ｃ，７ｃが屈折縁４５ａ、４５ｂに一致することとなる。
【００２８】
かかる構成にあって、連続状木質テープ１のミシン目７ｃ，７ｃを傾斜面４４の角度に合わせて、ほぼ４５°づつ山折り状に折曲する。そして、ミシン目７ｃ，７ｃの長尺部分領域８の裏面の剥離紙４を除去し、その接着層３により傾斜面４４に接合して保持し、次に長尺部分領域９ｃ，９ｃの剥離紙４を除去してその接着層３により前面４２、上面４３に夫々接合する。これにより、連続状木質テープ１ｃを簡単かつ美麗に前縁部４１の外面に接合することができる。
【図面の簡単な説明】
【００２９】
【図１】本発明にかかる連続状木質テープ１のロール２から引き出した状態を示す斜視図である。
【図２】本発明にかかる連続状木質テープ１の縦断面図である。
【図３】連続状木質テープ１ａを鴨居２０に適用した状態を示す縦断側面図である。
【図４】連続状木質テープ１ａの平面図である。
【図５】連続状木質テープ１ｂをテーブル板３０に適用した状態を示す縦断側面図である。
【図６】連続状木質テープ１ｂの平面図である。
【図７】連続状木質テープ１ｃを框４０に適用した状態を示す縦断側面図である。
【図８】連続状木質テープ１ｃの平面図である。
【符号の説明】
【００３０】
１、１ａ、１ｂ、１ｃ  連続状木質テープ
２  連続状突板
３  接着層
４  剥離紙
７、７ａ、７ｂ、７ｃ  ミシン目
８、８ａ、８ｂ、８ｃ  長尺部分領域
９、９ａ、９ｂ、９ｃ  長尺部分領域
２０  鴨居
２３  レール溝
２４  連続状被接合部
２５  天面部
２６  側面部
２７  屈折縁
３０  テーブル板
４０  框
【図１】
2009184242.tif 000003
【図２】
2009184242.tif 000004
【図３】
2009184242.tif 000005
【図４】
2009184242.tif 000006
【図５】
2009184242.tif 000007
【図６】
2009184242.tif 000008
【図７】
2009184242.tif 000009
【図８】
2009184242.tif 000010